(57)【要約】【課題】開口部を自動的に開閉するシャッタ格納機構の構造を簡素化する。【解決手段】投票カード読取ユニット１１４は、筐体１３１に取り付けられたときに、開口部１３３ｃから投票カード投入排出口１０４が筐体１３１の外側に露出するように筐体１３１の内部に配置される。スライダ１５は、投票カード読取ユニット１１４が筐体１３１に着脱されることにより移動する。シャフト１２は、ベース２に形成される一対のベース側ガイド溝２８に案内される。シャフト１２は、スライダ１５の移動により、投票カード読取ユニット１１４が筐体１３１に取り付けられたときに前面側端位置に移動し、投票カード読取ユニット１１４が筐体１３１から取り外されたときに背面側端位置に移動する。シャッタ３は、シャフト１２が前面側端位置に配置されることにより開口部１３３ｃを開放し、シャフト１２が位置に配置されることにより開口部１３３ｃを閉鎖する。【選択図】図３
2019046074.tif 000002
【特許請求の範囲】
【請求項１】
開口部が形成される筐体と、
前記筐体に取り付けられたときに、前記開口部を介して一部が前記筐体の外側に露出するように前記筐体が形成する内部空間に配置され、投票券に関する処理をするユニットと、
前記筐体に固定されるベースと、
前記ベースに平行移動可能に支持され、前記ユニットが前記筐体に着脱されることにより移動するスライダと、
前記ベースに形成されるガイド溝に案内され、前記スライダが移動することにより、前記ユニットが前記筐体に取り付けられたときに第１位置に移動し、前記ユニットが前記筐体から取り外されたときに第２位置に移動するシャフトと、
前記ベースに回転可能に支持され、前記シャフトが前記第１位置に配置されることにより前記開口部を開放し、前記シャフトが前記第２位置に配置されることにより前記開口部を閉鎖するシャッタ
とを備える投票券処理装置。
【請求項２】
前記シャッタは、前記ユニットが前記筐体に取り付けられたときに、前記ユニットと前記ベースとの間に配置される
請求項１に記載の投票券処理装置。
【請求項３】
前記シャフトに固定され、前記シャッタに回転可能に支持される支柱をさらに備え、
前記支柱は、前記シャッタが前記開口部を開放するときに前記シャッタと前記ベースとの間に配置され、前記シャッタが前記開口部を閉鎖するときに前記シャッタより前記筐体の内部空間の側に配置される
請求項１または請求項２に記載の投票券処理装置。
【請求項４】
前記ガイド溝は、前記シャフトが前記第２位置に配置されている場合、前記開口部が開放されるように前記シャッタに力が与えられたときに、前記第１位置から遠い側に前記シャフトが案内されるように、形成される
請求項１〜請求項３のいずれか一項に記載の投票券処理装置。
【請求項５】
前記スライダは、前記シャフトが嵌合する他のガイド溝が形成され、
前記他のガイド溝は、前記ユニットが前記筐体に取り付けられるときに前記シャフトが前記第１位置に移動するように、かつ、前記ユニットが前記筐体から取り外されるときに前記シャフトが前記第２位置に移動するように、かつ、前記シャフトが前記第２位置に配置されるときに前記スライダが平行移動する方向に垂直である他の方向に前記シャフトが移動するように、前記シャフトを案内する
請求項１〜請求項４のいずれか一項に記載の投票券処理装置。
【請求項６】
前記シャフトが前記第２位置に移動するように、前記スライダに弾性力を与えるばね
をさらに備える請求項１〜請求項５のいずれか一項に記載の投票券処理装置。
【請求項７】
前記シャフトが前記第１位置に配置されるときに第３状態になり、前記シャフトが前記第１位置と異なる他の位置に配置されるときに第４状態になるように、前記スライダに回転可能に支持されるカムをさらに備え、
前記カムは、
前記第３状態であるときに、前記スライダが前記ユニットとともに移動しないように前記スライダを前記ベースに固定し、
前記第４状態であるときに、前記スライダが前記ユニットとともに移動するように前記スライダを前記ベースから解放する
請求項１〜請求項６のいずれか一項に記載の投票券処理装置。
【請求項８】
前記ユニットが取り付けられ、前記ユニットが前記筐体に着脱されるように、前記筐体に対して移動可能に支持されるテーブルをさらに備え、
前記スライダは、前記ユニットが前記テーブルに取り付けられている場合、前記カムが前記第４状態であるとき、前記テーブルのパネル対向面に前記カムが接触することにより前記ユニットとともに移動する
請求項７に記載の投票券処理装置。
【発明の詳細な説明】
【技術分野】
【０００１】
本開示の技術は、投票券処理装置に関する。
【背景技術】
【０００２】
競馬、競輪、競艇、オートレースに例示される公営競技での投票券の発売と払戻に関する処理を実行する投票券処理装置が知られている。このような投票券処理装置は、筐体の内部に複数のユニットが配置され、各ユニットの一部である操作部が筐体の前面の開口部から露出している。ユニットとしては、投票カードを取り扱うユニット、投票券を取り扱うユニット、紙幣を取り扱うユニット、硬貨を取り扱うユニットが例示される。これらのユニットは、筐体の背面側から引き出されることによりメンテナンスされる。投票券処理装置は、ユニットが引き出されたときに、その引き出されたユニットの操作部を露出していた開口部を自動的に閉鎖するシャッタ格納機構を備えている（特許文献１〜４参照）。
【先行技術文献】
【特許文献】
【０００３】
【特許文献１】特開２０１０−０３３１８９号公報
【特許文献２】特開２０１３−５０７６９号公報
【特許文献３】特開２００４−１１０６４０号公報
【特許文献４】国際公開第２０１１／００１５０５号
【発明の概要】
【発明が解決しようとする課題】
【０００４】
しかしながら、このようなシャッタ機構は、構造が複雑であるために、製造コストが増加するという問題がある。
【０００５】
開示の技術は、かかる点に鑑みてなされたものであって、開口部を自動的に開閉するシャッタ格納機構の構造を簡素化する投票券処理装置を提供することを目的とする。
【課題を解決するための手段】
【０００６】
開示の態様では、投票券処理装置は、筐体とユニットとベースとスライダとシャフトとシャッタとを備えている。前記筐体は、開口部が形成されている。前記ユニットは、前記筐体に取り付けられたときに、前記開口部を介して一部が前記筐体の外側に露出するように前記筐体が形成する内部空間に配置され、投票券に関する処理をする。前記ベースは、前記筐体に固定されている。前記スライダは、前記ベースに平行移動可能に支持され、前記ユニットが前記筐体に着脱されることにより移動する。前記シャフトは、前記ベースに形成されるガイド溝に案内され、前記スライダが移動することにより、前記ユニットが前記筐体に取り付けられたときに第１位置に移動し、前記ユニットが前記筐体から取り外されたときに第２位置に移動する。前記シャッタは、前記ベースに回転可能に支持され、前記シャフトが前記第１位置に配置されることにより前記開口部を開放し、前記シャフトが前記第２位置に配置されることにより前記開口部を閉鎖する。
【発明の効果】
【０００７】
開示の投票券処理装置は、開口部を自動的に開閉する構造を簡素化することができる。
【図面の簡単な説明】
【０００８】
【図１】図１は、実施例１の投票券処理装置を備えるトータリゼータシステムを示す図である。
【図２】図２は、実施例１の投票券処理装置を示すブロック図である。
【図３】図３は、シャッタ閉鎖時のシャッタ格納機構を示す側面図である。
【図４】図４は、シャッタ開放時のシャッタ格納機構を示す側面図である。
【図５】図５は、シャッタ格納機構を示す側面図である。
【図６】図６は、シャッタ格納機構を示す上面図である。
【図７】図７は、シャッタ格納機構を示す斜視図である。
【図８】図８は、シャッタ開放時のシャッタ格納機構を示す上面図である。
【図９】図９は、シャッタ開放時のシャッタ格納機構を示す側面図である。
【図１０】図１０は、一対のベース側ガイド溝と一対のスライダ側ガイド溝とを示す側面図である。
【図１１】図１１は、スライダが後端位置に配置されているときの一対のベース側ガイド溝と一対のスライダ側ガイド溝とを示す側面図である。
【図１２】図１２は、実施例２の投票券処理装置の一対のベース側ガイド溝と一対のスライダ側ガイド溝とを示す側面図である。
【図１３】図１３は、シャッタがベースに衝突した後の実施例２の投票券処理装置のシャッタ格納機構を示す側面図である。
【図１４】図１４は、実施例３の投票券処理装置の一対のベース側ガイド溝と一対のスライダ側ガイド溝とを示す側面図である。
【図１５】図１５は、スライダが後端位置に配置されたときの実施例３の投票券処理装置の一対のベース側ガイド溝と一対のスライダ側ガイド溝とを示す側面図である。
【発明を実施するための形態】
【０００９】
以下に、本願が開示する実施形態にかかる投票券処理装置について、図面を参照して説明する。なお、以下の記載により本開示の技術が限定されるものではない。また、以下の記載においては、同一の構成要素に同一の符号を付与し、重複する説明を省略する。
【００１０】
以下の実施例の説明で用いるＸＹＺ座標系は、図１〜図１５に示すように、装置の左右方向をＸ軸方向とし、装置の上下方向をＹ軸方向、装置の前後方向をＺ軸方向とする。また、Ｘ，Ｙ，Ｚの各軸は、略直交する。
【実施例１】
【００１１】
［トータリゼータシステム］
図１は、実施例１の投票券処理装置１００を備えるトータリゼータシステム１０００を示す図である。トータリゼータシステム１０００は、図１に示されているように、投票券処理装置１００と管理装置２００とを備えている。なお、図１には、１つの投票券処理装置１００が記載されているが、トータリゼータシステム１０００は、互いに同様に形成される複数の投票券処理装置１００を備えている。投票券処理装置１００は、ネットワーク３００を介して管理装置２００に双方向に情報伝達可能に接続されている。ネットワーク３００としては、ＬＡＮ（Local  Area  Network）、ＷＡＮ（Wide  Area  Network）、または、それらが混在するインターネットが例示される。管理装置２００は、ネットワーク３００を介して複数の投票券処理装置１００と通信し、投票券の発券や投票券の払戻等を管理する。
【００１２】
［投票券発券装置］
投票券処理装置１００は、筐体１３１と投票券投入口１０２と投票券排出口１０３と投票カード投入排出口１０４と紙幣投入排出口１０５と硬貨投入口１０６と硬貨排出口１０７とを備えている。筐体１３１は、複数のユニットが格納される内部空間を形成し、前面を形成する前面パネル１３２に複数の開口部が形成されている。複数の開口部は、投票券投入口１０２と投票券排出口１０３と投票カード投入排出口１０４と紙幣投入排出口１０５と硬貨投入口１０６と硬貨排出口１０７とに対応している。
【００１３】
投票券投入口１０２は、複数の開口部のうちの投票券投入口１０２に対応する開口部１３３ａに配置されている。投票券排出口１０３は、複数の開口部のうちの投票券排出口１０３に対応する開口部１３３ｂに配置されている。投票カード投入排出口１０４は、複数の開口部のうちの投票カード投入排出口１０４に対応する開口部１３３ｃに配置されている。紙幣投入排出口１０５は、複数の開口部のうちの紙幣投入排出口１０５に対応する開口部１３３ｄに配置されている。硬貨投入口１０６は、複数の開口部のうちの硬貨投入口１０６に対応する開口部１３３ｅに配置されている。硬貨排出口１０７は、複数の開口部のうちの硬貨排出口１０７に対応する開口部１３３ｆに配置されている。
【００１４】
投票券処理装置１００は、運用状況表示窓１０１とディスプレイ１０８とタッチパネル１０９とをさらに備えている。運用状況表示窓１０１は、前面パネル１３２の上部に配置されている。ディスプレイ１０８は、前面パネル１３２の下部に配置されている。タッチパネル１０９は、ディスプレイ１０８の上層に配置されている。
【００１５】
なお、硬貨投入口１０６と硬貨排出口１０７とは、一体に構成され、前面パネル１３２に形成される１つの開口部を介して筐体１３１の外部に露出されてもよい。また、投票カード投入排出口１０４は、投票カード投入口と投票カード排出口とに、別体に構成され、前面パネル１３２に形成される２つの開口部を介して筐体１３１の外部にそれぞれ露出されてもよい。また、紙幣投入排出口１０５は、紙幣投入口と紙幣排出口とに、別体に構成され、２つの開口部を介して筐体１３１の外部にそれぞれ露出されてもよい。
【００１６】
図２は、実施例１の投票券処理装置１００を示すブロック図である。投票券処理装置１００は、図２に示されるように、管理者用ディスプレイ１１２と管理者用タッチパネル１１３と制御部１１１とをさらに備えている。管理者用ディスプレイ１１２は、投票券処理装置１００のうちの前面パネル１３２が配置される前面の反対側の背面側に配置されている。管理者用ディスプレイ１１２は、制御部１１１に制御されることにより、制御部１１１により作成された画面を表示する。管理者用タッチパネル１１３は、透過型のタッチパネルから形成され、管理者用ディスプレイ１１２の上層に配置されている。管理者用タッチパネル１１３は、係員または保守員に操作されることにより生成された情報を制御部１１１に出力する。
【００１７】
筐体１３１の内部空間に格納される複数のユニットは、投票カード読取ユニット１１４と紙幣還流ユニット１１５と硬貨還流ユニット１１６と投票券印刷ユニット１１７と払戻投票券読取ユニット１１８とを含んでいる。投票カード読取ユニット１１４は、制御部１１１に制御されることにより、投票カード投入排出口１０４から投入された投票カードから投票内容を読み取り、また、返却する投票カードを排出する。紙幣還流ユニット１１５は、制御部１１１に制御されることにより、紙幣投入排出口１０５から投入された紙幣の受け入れ、紙幣の真贋を鑑別し、紙幣を収納し、紙幣投入排出口１０５を介して所定の金額の紙幣を排出する。
【００１８】
硬貨還流ユニット１１６は、制御部１１１に制御されることにより、硬貨投入口１０６から投入された硬貨を受け入れ、硬貨の真贋を鑑別し、硬貨を収納し、硬貨排出口１０７を介して所定の金額の硬貨を排出する。投票券印刷ユニット１１７は、制御部１１１に制御されることにより、投票内容を投票券に印刷し、投票内容が印刷された投票券を投票券排出口１０３から排出する。払戻投票券読取ユニット１１８は、制御部１１１に制御されることにより、投票券投入口１０２から投入された投票券に記載された投票内容を読み取る。
【００１９】
制御部１１１は、コンピュータであり、ＣＰＵ（Central  Processing  Unit）１２０とＲＡＭ（Random  Access  Memory）１２１とＨＤＤ（Hard  Disk  Drive）１２２と通信インタフェース１２３とグラフィック処理ユニット１２４と入出力インタフェース１２５とを備えている。ＣＰＵ１２０とＲＡＭ１２１とＨＤＤ１２２と通信インタフェース１２３とグラフィック処理ユニット１２４と入出力インタフェース１２５とは、バス１２６を介して双方向に情報伝達可能に接続されている。
【００２０】
ＣＰＵ１２０は、投票券処理装置１００にインストールされるＯＳ（Operating  System）のプログラムとアプリケーションプログラムとを実行することにより、情報処理し、投票券処理装置１００の全体動作を制御する。ＲＡＭ１２１は、ＯＳやアプリケーションプログラムの少なくとも一部を一時的に記録し、情報処理に必要な情報を一時的に記録する。ＨＤＤ１２２は、投票券処理装置１００にインストールされるＯＳやアプリケーションプログラムを記録する。通信インタフェース１２３は、ネットワーク３００に接続され、投票券処理装置１００と管理装置２００との間でデータを送受信する。
【００２１】
グラフィック処理ユニット１２４は、ディスプレイ１０８と管理者用ディスプレイ１１２とに接続されている。入出力インタフェース１２５は、投票カード読取ユニット１１４と紙幣還流ユニット１１５と硬貨還流ユニット１１６と投票券印刷ユニット１１７と払戻投票券読取ユニット１１８とタッチパネル１０９と管理者用タッチパネル１１３とに接続されている。タッチパネル１０９は、ファン（投票者）に操作されることにより生成された情報を制御部１１１に出力する。管理者用タッチパネル１１３は、係員または保守員に操作されることにより生成された情報を制御部１１１に出力する。
【００２２】
入出力インタフェース１２５は、さらに、運用状況表示窓１０１に情報伝達可能に接続されている。運用状況表示窓１０１は、制御部１１１に制御されることにより、「発券受付中」または「発券停止中」を表示し、「払戻受付中」または「払戻停止中」を表示する。
【００２３】
入出力インタフェース１２５は、図示されていない可搬型記録媒体インタフェースを備えている。可搬型記録媒体インターフェースは、可搬型記録媒体１１９が装填可能に形成されている。可搬型記録媒体１１９としては、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）Ｄｉｓｃ等が例示される。可搬型記録媒体インターフェースは、可搬型記録媒体１１９が装填されているときに、可搬型記録媒体１１９に記録されている情報を読み取り、情報を可搬型記録媒体１１９に記録する。
【００２４】
なお、ＣＰＵ１２０は、可搬型記録媒体インタフェースを介して、可搬型記録媒体１１９に記録されたＯＳのプログラムやアプリケーションプログラムを実行してもよい。また、ＣＰＵ１２０は、投票券処理装置１００と異なる外部装置（図示しない）からネットワーク３００を介して取得されたＯＳのプログラムやアプリケーションプログラムを実行してもよい。
【００２５】
なお、制御部１１１は、たとえば、ＦＰＧＡ（Field  Programmable  Gate  Array）やＤＳＰ（Digital  Signal  Processor）等のモジュールを含む構成とすることもできる。この場合、制御部１１１は、不揮発性メモリを備えている。不揮発性メモリとしては、たとえば、ＥＥＰＲＯＭ（Electrically  Erasable  and  Programmable  Read  Only  Memory）、フラッシュメモリ、フラッシュメモリ型メモリカード等が例示される。不揮発性メモリには、可搬型記録媒体１１９または通信インタフェース１２３を介して取得されたファームウェアを記録することができる。制御部１１１は、さらに、不揮発性メモリに記録されているファームウェアを書き換えることにより、ファームウェアの更新をすることもできる。
【００２６】
［投票券処理装置１００の動作］
投票券処理装置１００は、操作案内、レース案内を示す画面をディスプレイ１０８に表示する。ファン（投票者）は、投票券を購入するときに、紙幣を紙幣投入排出口１０５に投入し、または、硬貨を硬貨投入口１０６に投入する。ファン（投票者）は、さらに、投票情報が記入された投票カードを投票券処理装置１００の投票カード投入排出口１０４に挿入する。投票券処理装置１００は、投票カード投入排出口１０４に挿入された投票カードに記載された投票情報を読み取り、投票情報を示す画面をさらにディスプレイ１０８に表示する。なお、投票券処理装置１００は、記載不備等により返却する投票カードが有る場合、投票カード投入排出口１０４から投票カードを排出する。投票券処理装置１００は、さらに、その読み取られた投票情報に基づいて投票券を印刷し、印刷された投票券を投票券排出口１０３から排出する。投票券処理装置１００は、さらに、釣銭があるときに、紙幣投入排出口１０５から紙幣を排出し、硬貨排出口１０７から硬貨を排出する。投票券処理装置１００は、さらに、ネットワーク３００を介して、投票情報を管理装置２００に送信する。管理装置２００は、投票券処理装置１００から受信した投票情報を記録し、投票券の発券を管理し、投票情報に基づいてオッズと配当金とを算出する。
【００２７】
ファン（投票者）は、投票券の払戻をするときに、投票券を投票券投入口１０２に挿入する。投票券処理装置１００は、投票券投入口１０２に挿入された投票券に記載された投票情報を読み取り、投票情報に対応する配当金の紙幣を紙幣投入排出口１０５から排出し、硬貨を硬貨排出口１０７から排出する。投票券処理装置１００は、さらに、ネットワーク３００を介して、払い戻された配当金を示す情報を管理装置２００に送信する。管理装置２００は、投票券処理装置１００から受信した情報を記録し、投票券の払戻を管理する。
【００２８】
［シャッタ格納機構１０］
投票券処理装置１００は、筐体１３１の内部空間に格納される複数のユニットに対応する複数のシャッタ格納機構をさらに備えている。複数のシャッタ格納機構のうちの投票カード読取ユニット１１４に対応するシャッタ格納機構１０は、図３に示されているように、テーブル１とベース２とシャッタ３とを備えている。図３は、シャッタ閉鎖時のシャッタ格納機構１０を示す側面図である。テーブル１は、長方形の板状に概ね形成されている。テーブル１は、投票券処理装置１００が設置される設置面（Ｘ−Ｚ平面）に平行である平面（Ｘ−Ｚ平面）に沿うように、筐体１３１の内部に配置されている。テーブル１は、さらに、取付位置または取外位置に配置されるように、着脱方向５（Ｚ方向）に平行に移動可能に筐体１３１に支持されている。着脱方向５は、投票券処理装置１００の設置面に平行である。テーブル１は、前面パネル１３２の側（図３で左側、以下「前面側」と記載される。）に移動することにより取付位置に配置され、反対側（以下「背面側」と記載される。）に移動することにより取外位置に配置される。テーブル１は、前面パネル対向面６とテーブル下面７とが形成されている。前面パネル対向面６は、開口部１３３ｃに対向する面であり、テーブル１の前面側の端に形成されている。テーブル下面７は、テーブル１のうちの、投票券処理装置１００の設置面に対向する側に形成されている。
【００２９】
テーブル１は、投票カード読取ユニット１１４が筐体１３１に取り付けられることに利用される。投票カード読取ユニット１１４は、概ね直方体状に形成され、投票カード投入排出口１０４が固定されている。投票カード読取ユニット１１４は、投票カード投入排出口１０４が開口部１３３ｃに対向するように、テーブル１に載置されることにより、テーブル１に取り付けられる。テーブル１が取外位置に配置されたときに、図３に示されているように、テーブル１の背面側の一部は、筐体１３１の外部に配置される。投票カード読取ユニット１１４がテーブル１に適切に載置される場合で、テーブル１が取外位置に配置されるときに、投票カード読取ユニット１１４の背面側の一部が筐体１３１の外部に配置される。テーブル１が取外位置に配置されるときに、投票カード読取ユニット１１４の一部が筐体１３１の外部に配置されることにより、投票カード読取ユニット１１４は、テーブル１から容易に取り外されることができる。なお、テーブル１は、取外位置に配置されるときに、投票カード読取ユニット１１４の全部が筐体１３１の外部に配置されるように、形成されてもよい。
【００３０】
ベース２は、テーブル１が移動するときに筐体１３１の内部のうちのテーブル１が配置され得る領域の下部に配置され、筐体１３１に固定されている。シャッタ３は、開放位置または閉鎖位置に配置されるように、シャッタ回転軸８を中心に回転可能にベース２に支持されている。シャッタ回転軸８は、前面パネル１３２に平行で、着脱方向５に垂直である。シャッタ３は、閉鎖位置に配置されることにより、図３に示されているように、開口部１３３ｃを閉鎖する。
【００３１】
図４は、シャッタ開放時のシャッタ格納機構１０を示す側面図である。図４に示されているように、シャッタ３が開放位置に配置されることにより、開口部１３３ｃが開放される。また、テーブル１は、シャッタ３が開放位置に配置されているときに、取付位置に配置され、シャッタ３の上部に配置される。すなわち、シャッタ３は、投票カード読取ユニット１１４が筐体１３１に取り付けられているときに、筐体１３１内のテーブル１とベース２との間に配置される。投票カード読取ユニット１１４は、投票カード読取ユニット１１４がテーブル１に適切に載置され、テーブル１が取付位置に配置されたとき、筐体１３１に適切に取り付けられる。投票カード投入排出口１０４は、投票カード読取ユニット１１４が筐体１３１に適切に取り付けられるときに、開口部１３３ｃに嵌合し、開口部１３３ｃより筐体１３１の外部に露出される。
【００３２】
図５は、シャッタ格納機構１０を示す側面図である。図５に示されているように、シャッタ格納機構１０は、支柱１１とシャフト１２とをさらに備えている。支柱１１は、支柱回転軸１４を中心に回転可能にシャッタ３に支持されている。支柱回転軸１４は、シャッタ回転軸８に平行である。シャフト１２は、円柱状に形成されている。シャフト１２は、支柱回転軸１４に平行に配置され、支柱１１に固定されている。
【００３３】
シャッタ格納機構１０は、スライダ１５とばね１６とカム１７とをさらに備えている。スライダ１５は、前端位置または後端位置に配置されるように、着脱方向５に平行に移動可能にベース２に支持されている。ばね１６は、引張コイルばねから形成され、一端がベース２に支持され、他端がスライダ１５に支持されている。ばね１６は、スライダ１５がベース２に対して移動することにより弾性変形し、スライダ１５が後端位置以外の位置（後端位置と異なる他の位置）に配置されているときに、スライダ１５が背面側に移動するように、スライダ１５に弾性力を与えている。このため、図５に示されているように、スライダ１５に外部から力が与えられていないときに、スライダ１５は後端位置に配置される。
【００３４】
カム１７は、テーブル接触面１８とベース接触面１９とが形成されている。カム１７は、スライダ解放状態またはスライダ固定状態になるように、カム回転軸２１を中心に回転可能にスライダ１５に支持されている。カム回転軸２１は、シャッタ回転軸８に平行である。カム１７は、スライダ解放状態であるときに、図５に示されているように、テーブル接触面１８がテーブル１の前面パネル対向面６に対向するように、立ち上がっている。言い換えると、スライダ解放状態は、テーブル接触面１８がテーブル１のテーブル下面７に接触していないで、テーブル接触面１８が前面パネル対向面６に対向している状態である。これはカムの第４状態である。カム１７のテーブル接触面１８がテーブル１の前面パネル対向面６に接触することで、スライダ１５は前側に移動可能となり、投票カード読取ユニット１１４を前側に押し込むことができる（図３、図５参照）。ベース２には、カム摺動面２４が形成されている。カム摺動面２４は、投票券処理装置１００の設置面に平行である平面に沿うように、形成されている。カム摺動面２４は、前端位置以外の位置（前端位置と異なる他の位置：後端位置を含む）にスライダ１５が配置されている場合で、カム１７がスライダ解放状態であるときに、カム１７のベース接触面１９に接触する。
【００３５】
図６は、シャッタ格納機構１０を示す上面図である。図６に示されているように、ベース２には、カム嵌合穴２５がさらに形成されている。カム嵌合穴２５は、カム摺動面２４の前面側に隣接して形成されている。ベース２には、一対のベース側ガイド板２６が備えられている。一対のベース側ガイド板２６は、シャッタ回転軸８に垂直に配置され、ベース２に固定されている。スライダ１５には、一対のスライダ側ガイド板２７が備えられている。一対のスライダ側ガイド板２７は、シャッタ回転軸８に垂直で、一対のベース側ガイド板２６の間に平行に配置され、スライダ１５に固定されている。
【００３６】
図７は、シャッタ格納機構１０を示す斜視図である。図７に示されているように、一対のベース側ガイド板２６には、一対のベース側ガイド溝２８がそれぞれ形成されている。一対のスライダ側ガイド板２７には、一対のスライダ側ガイド溝２９がそれぞれ形成されている。
【００３７】
図８は、シャッタ開放時のシャッタ格納機構１０を示す上面図である。図９は、シャッタ開放時のシャッタ格納機構１０を示す側面図である。図８に示されているように、スライダ１５は、前端位置に配置されている。カム１７は、スライダ１５が前端位置に配置されているとき、カム嵌合穴２５の近傍に配置される。図９に示されているように、カム１７は、スライダ１５が前端位置に配置されているとき、カム１７の一部がカム嵌合穴２５に入り込むことにより、スライダ固定状態になる。これはカムの第３状態である。カム１７は、スライダ固定状態であるときに、一部がカム嵌合穴２５に入り込むことにより、スライダ１５が前端位置に配置されている状態でスライダ１５をベース２に固定する。カム１７は、スライダ固定状態であるときに、さらに、テーブル接触面１８がテーブル１の前面パネル対向面６に対向しないで、テーブル接触面１８がテーブル１のテーブル下面７に接触するように、倒れている。
【００３８】
図１０は、一対のベース側ガイド溝２８と一対のスライダ側ガイド溝２９とを示す側面図である。図１０に示されているように、一対のベース側ガイド溝２８は、後部上方から前部下方にかけて、なだらかに屈曲した曲線が形成されている。一対のベース側ガイド溝２８は、さらに、前面パネル１３２（前面側：図１０の左側）に近づくにつれて、一対のベース側ガイド溝２８が沿う直線と着脱方向５とがなす角が０度に近付くように形成されている。シャフト１２の両端は、一対のベース側ガイド溝２８にそれぞれ嵌合している。シャフト１２の両端は、一対のベース側ガイド溝２８にそれぞれ嵌合することにより、一対のベース側ガイド溝２８に沿って移動するように案内され、前面側端位置または背面側端位置に配置されるように、移動可能にベース２に支持されている。
【００３９】
一対のスライダ側ガイド溝２９は、後部上方から前部下方にかけて、なだらかに屈曲した曲線に沿うように、形成されている。一対のスライダ側ガイド溝２９のうち下側部分２９ａは、垂直の溝が形成されている。すなわち、下側部分２９ａは、着脱方向５に垂直である。なお、一対のスライダ側ガイド溝２９は、一対のベース側ガイド溝２８よりも、垂直に近い角度で形成されている。一対のスライダ側ガイド溝２９は、スライダ１５が前端位置に配置されるときに、下側部分２９ａが一対のベース側ガイド溝２８の前面側端２８ａに重なるように、形成されている。シャフト１２の両端は、一対のスライダ側ガイド溝２９にそれぞれ嵌合している。このため、シャフト１２は、スライダ１５が前端位置に配置されるときに、一対のベース側ガイド溝２８の前面側端２８ａに嵌合するように配置され、前面側端位置に配置される。これは、シャフトの第１位置である。支柱１１は、シャフト１２が前面側端位置に配置されることにより、シャッタ３を回転させ、シャッタ３を開放位置に配置する。シャッタ３は、開放位置に配置されることにより、開口部１３３ｃを開放する。
【００４０】
図１１は、スライダ１５が後端位置に配置されているときの一対のベース側ガイド溝２８と一対のスライダ側ガイド溝２９とを示す側面図である。一対のスライダ側ガイド溝２９は、スライダ１５が後端位置に配置されるときに、下側部分２９ａの反対側の上側部分２９ｂが一対のベース側ガイド溝２８の背面側端２８ｂに重なるように、形成されている。このため、シャフト１２は、スライダ１５が後端位置に配置されるときに、一対のベース側ガイド溝２８の背面側端２８ｂに嵌合し、背面側端位置に配置される。これは、シャフトの第２位置である。支柱１１は、シャフト１２が背面側端位置に配置されることにより、シャッタ３を回転させ、シャッタ３を閉鎖位置に配置する。シャッタ３は、閉鎖位置に配置されることにより、開口部１３３ｃを閉鎖する。
【００４１】
［シャッタ格納機構１０の動作］
テーブル１は、投票カード読取ユニット１１４が筐体１３１に適切に取り付けられているときに、図４に示されているように、投票カード読取ユニット１１４が載置された状態で取付位置に配置されている。スライダ１５は、テーブル１が取付位置に配置されているときに、前端位置に配置されている。カム１７は、スライダ１５が前端位置に配置されているときに、スライダ固定状態であり、テーブル接触面１８がテーブル１のテーブル下面７に接触し、一部がカム嵌合穴２５に入り込んでいる。スライダ１５は、カム１７がスライダ固定状態であるときに、カム１７の一部がカム嵌合穴２５に入り込むことにより、前端位置に配置された状態でベース２に固定されている。シャフト１２は、スライダ１５が前端位置に配置されているときに、一対のスライダ側ガイド溝２９に案内されることにより、一対のベース側ガイド溝２８の前面側端２８ａに嵌合され、前面側端位置に配置されている。支柱１１は、シャフト１２が前面側端２８ａに嵌合されることにより、シャッタ３を開放位置に配置する。シャッタ３は、開放位置に配置されることにより、開口部１３３ｃを開放し、テーブル１が移動する領域とベース２との間に配置されている。
【００４２】
係員または保守員は、投票カード読取ユニット１１４をメンテナンスするときに、投票カード読取ユニット１１４を筐体１３１の内部から背面側に引き出す。テーブル１は、投票カード読取ユニット１１４が引き出されることにより、テーブル下面７がカム１７のテーブル接触面１８を滑りながら、背面側に移動する。カム１７は、テーブル接触面１８がテーブル下面７から離れたときに、スライダ１５がばね１６の弾性力により背面側に移動することにより、カム回転軸２１を中心に回転し、スライダ解放状態になる。カム１７は、スライダ解放状態になることにより、カム嵌合穴２５から外れ、スライダ１５を前端位置に固定することを解除し、テーブル接触面１８がテーブル１の前面パネル対向面６に接触する。スライダ１５は、前端位置に固定されることから解除された後に、カム１７のテーブル接触面１８がテーブル１の前面パネル対向面６に接触した状態で、ばね１６の弾性力により、テーブル１とともに背面側にさらに移動する。
【００４３】
シャフト１２は、スライダ１５が背面側に移動することにより、一対のスライダ側ガイド溝２９と一対のベース側ガイド溝２８とに案内され、背面側に移動する。支柱１１は、シャフト１２が背面側に移動することにより、支柱回転軸１４を中心に回転し、シャッタ３を閉鎖位置に向かって回転させる。スライダ１５は、テーブル１が背面側にさらに移動することにより、後端位置に配置される。
【００４４】
シャフト１２は、スライダ１５が後端位置に配置されることにより、一対のベース側ガイド溝２８と一対のスライダ側ガイド溝２９とに案内され、背面側端位置に配置される。支柱１１は、シャフト１２が背面側端位置に配置されることにより、シャッタ３を閉鎖位置に配置させる。シャッタ３は、閉鎖位置に配置されることにより、開口部１３３ｃを閉鎖する。
【００４５】
テーブル１は、スライダ１５が後端位置に配置された後に、背面側にさらに移動することにより、前面パネル対向面６がカム１７のテーブル接触面１８から離れる。テーブル１は、前面パネル対向面６がカム１７のテーブル接触面１８から離れた後に、背面側にさらに移動することにより、取外位置に配置される。投票カード読取ユニット１１４は、テーブル１が取外位置に配置されることにより、筐体１３１から引き出され、一部が筐体１３１の外部に配置される。係員または保守員は、テーブル１が取外位置に配置された後に、投票カード読取ユニット１１４をテーブル１から取外した状態で、または、投票カード読取ユニット１１４がテーブル１に載置された状態で、投票カード読取ユニット１１４をメンテナンスする。
【００４６】
このような動作によれば、投票券処理装置１００は、投票カード読取ユニット１１４が筐体１３１から引き出されたときに、開口部１３３ｃを自動的に閉鎖することができる。投票券処理装置１００は、開口部１３３ｃが自動的に閉鎖されることにより、投票カード読取ユニット１１４が筐体１３１から引き出されたときに、開口部１３３ｃを介して筐体１３１の内部に異物が入り込むことを防止することができる。
【００４７】
係員または保守員は、投票カード読取ユニット１１４のメンテナンスが終了した後に、投票カード読取ユニット１１４をテーブル１に適切に載置し、投票カード読取ユニット１１４を筐体１３１の内部に押し込む。テーブル１は、投票カード読取ユニット１１４が押し込まれることにより、前面側に移動し、テーブル１の前面パネル対向面６がカム１７のテーブル接触面１８に接触する。スライダ１５は、前面パネル対向面６がテーブル接触面１８に接触した後に、カム１７がテーブル１に押されることにより、ベース接触面１９がベース２のカム摺動面２４を滑りながら、テーブル１とともに前面側に移動する。
【００４８】
シャフト１２は、スライダ１５が前面側に移動することにより、一対のスライダ側ガイド溝２９と一対のベース側ガイド溝２８とに案内され、前面側に移動する。支柱１１は、シャフト１２が前面側に移動することにより、支柱回転軸１４を中心に回転し、シャッタ３を開放位置に向かって回転させる。シャフト１２は、スライダ１５が前端位置に配置されることにより、前面側端位置に配置される。支柱１１は、シャフト１２が前面側端位置に配置されることにより、シャッタ３を開放位置に配置させる。シャッタ３は、支柱１１により開放位置に配置されることにより、開口部１３３ｃを開放し、筐体１３１の内部のうちのテーブル１が移動する領域とベース２との間に配置される。
【００４９】
カム１７は、スライダ１５が前端位置に配置された後に、テーブル接触面１８がテーブル１の前面パネル対向面６に押されることにより、カム回転軸２１を中心に回転し、一部がカム嵌合穴２５に入り込み、スライダ固定状態になる。スライダ１５は、カム１７がスライダ固定状態になることにより、カム１７の一部がカム嵌合穴２５に入り込み、前端位置に配置された状態でベース２に固定される。テーブル１は、カム１７がスライダ固定状態になった後に、カム１７のテーブル接触面１８がテーブル下面７を滑りながら、前面側に移動し、取付位置に配置される。投票カード読取ユニット１１４は、テーブル１が取付位置に配置されることにより、筐体１３１に適切に取り付けられる。投票カード投入排出口１０４は、投票カード読取ユニット１１４が筐体１３１に取り付けられることにより、開口部１３３ｃを閉鎖し、開口部１３３ｃから筐体１３１の外部に露出する。
【００５０】
このような動作によれば、投票券処理装置１００は、投票カード読取ユニット１１４が筐体１３１に押し込まれたときに、開口部１３３ｃが自動的に開放されることができる。投票券処理装置１００は、投票カード読取ユニット１１４が筐体１３１に押し込まれたときに、さらに、開口部１３３ｃを投票カード投入排出口１０４により閉鎖し、開口部１３３ｃから投票カード投入排出口１０４を適切に露出させることができる。
【００５１】
複数のシャッタ格納機構のうちのシャッタ格納機構１０と異なる他のシャッタ格納機構も、シャッタ格納機構１０と同様に形成されている。すなわち、複数のシャッタ格納機構のうちのあるユニットに対応するシャッタ格納機構は、シャッタ格納機構１０と同様にして、そのユニットが筐体１３１に着脱されるときに、複数の開口部のうちのそのユニットの一部が露出される開口部を自動的に開閉する。
【００５２】
［投票券処理装置１００の効果］
上述のように実施例１の投票券処理装置１００は、筐体１３１と投票カード読取ユニット１１４とベース２とスライダ１５とシャフト１２とシャッタ３とを備えている。筐体１３１は、開口部１３３ｃが形成されている。投票カード読取ユニット１１４は、筐体１３１に取り付けられたときに、開口部１３３ｃを介して投票カード投入排出口１０４が筐体１３１の外側に露出するように筐体１３１が形成する内部空間に配置される。ベース２は、筐体１３１に固定されている。スライダ１５は、平行移動可能にベース２に支持され、投票カード読取ユニット１１４が筐体１３１に着脱されることにより移動する。シャフト１２は、ベース２に形成される一対のベース側ガイド溝２８に案内される。シャフト１２は、投票カード読取ユニット１１４が筐体１３１に取り付けられたときに前面側端位置に移動し、投票カード読取ユニット１１４が筐体１３１から取り外されたときに後端位置に移動する。シャッタ３は、ベース２に回転可能に支持され、シャフト１２が前面側端位置に配置されることにより開口部１３３ｃを開放し、シャフト１２が背面側端位置に配置されることにより開口部１３３ｃを閉鎖する。
【００５３】
このような投票券処理装置１００は、投票カード読取ユニット１１４が筐体１３１に取り付けられたり取り外されたりするときに、一対のベース側ガイド溝２８に案内されるシャフト１２の移動に基づいてシャッタ３が開口部１３３ｃを機械的に開閉する。投票券処理装置１００は、一対のベース側ガイド溝２８に案内されるシャフト１２の移動を利用することにより、構造を簡素化することができる。投票券処理装置１００は、構造が簡潔であることにより、容易に作製されることができ、製造コストを低減することができる。投票券処理装置１００は、一対のベース側ガイド溝２８に案内されるシャフト１２の移動を利用することにより、さらに、ワイヤを利用する必要がなく、ワイヤの断線による故障を防止することができる。
【００５４】
また、実施例１の投票券処理装置１００のシャッタ３は、投票カード読取ユニット１１４が筐体１３１に取り付けられたときに、投票カード読取ユニット１１４とベース２との間に配置される。このような投票券処理装置１００は、開口部１３３ｃが開放されているときにシャッタ３が投票カード読取ユニット１１４とベース２との間に配置されることにより、シャッタ格納機構１０が設置されるスペースを小さくすることができる。投票券処理装置１００は、シャッタ格納機構１０の設置スペースを小さくすることにより、筐体１３１の内部空間を有効利用したり、投票券処理装置１００を小型化したりすることができる。
【００５５】
また、実施例１の投票券処理装置１００は、支柱１１をさらに備えている。支柱１１は、シャフト１２に固定され、回転可能にシャッタ３に支持されている。支柱１１は、シャッタ３が開口部１３３ｃを開放するときにシャッタ３とベース２との間に配置され、シャッタ３が開口部１３３ｃを閉鎖するときにシャッタ３より筐体１３１の内部空間の側に配置されている。
【００５６】
このような投票券処理装置１００は、シャッタ３が開口部１３３ｃを開放しているときに、支柱１１がシャッタ３とベース２との間に配置されることにより、筐体１３１の内部空間のうちのシャッタ格納機構１０が設置されるスペースを小さくすることができる。投票券処理装置１００は、シャッタ格納機構１０の設置スペースを小さくすることにより、筐体１３１の内部空間を有効利用したり、投票券処理装置１００を小型化したりすることができる。
【００５７】
また、実施例１の投票券処理装置１００は、シャフト１２が前面側端位置に移動するように、スライダ１５に弾性力を与えるばね１６をさらに備えている。このような投票券処理装置１００は、ばね１６が設けられていることにより、投票カード読取ユニット１１４が筐体１３１から取り外されるときに、スライダ１５を適切に前端位置に移動させることができ、開口部１３３ｃを適切に開放することができる。
【００５８】
また、実施例１の投票券処理装置１００は、カム１７をさらに備えている。カム１７は、シャフト１２が前面側端位置に配置されるときにスライダ固定状態になり、シャフト１２が前面側端位置と異なる他の位置に配置されるときにスライダ解放状態になるように、スライダ１５に回転可能に支持されている。カム１７は、スライダ固定状態であるときに、スライダ１５が投票カード読取ユニット１１４とともに移動しないようにスライダ１５をベース２に固定する。カム１７は、スライダ解放状態であるときに、スライダ１５が投票カード読取ユニット１１４とともに移動するようにスライダ１５がベース２に固定することを解除する。このような投票券処理装置１００は、カム１７が設けられることにより、シャッタ３が開放位置に固定された状態で、投票カード読取ユニット１１４が移動することができる。このため、投票券処理装置１００は、投票カード読取ユニット１１４が着脱されるときに、投票カード読取ユニット１１４がシャッタ３に衝突することを防止し、破損を防止することができる。
【００５９】
また、実施例１の投票券処理装置１００は、前記ユニットが取り付けられるテーブル１をさらに備えている。テーブル１は、投票カード読取ユニット１１４が筐体１３１に着脱されるように、筐体１３１に対して移動可能に支持されている。スライダ１５は、投票カード読取ユニット１１４がテーブル１に取り付けられている場合で、カム１７がスライダ解放状態であるときに、カム１７がテーブル１に接触することにより投票カード読取ユニット１１４とともに移動する。このような投票券処理装置１００は、テーブル１がカム１７に接触することにより、投票カード読取ユニット１１４が筐体１３１に着脱されるときに、スライダ１５が移動する。このため、投票券処理装置１００は、スライダ１５を移動させるときに、投票カード読取ユニット１１４がカム１７に接触する必要がない。投票券処理装置１００は、投票カード読取ユニット１１４がカム１７に直接に接触しないことにより、投票カード読取ユニット１１４の破損を防止することができる。
【００６０】
ところで、実施例１の投票券処理装置１００は、テーブル１を備えているが、テーブル１は、投票カード読取ユニット１１４を案内する案内部に置換されることができる。このとき、スライダ１５は、投票カード読取ユニット１１４が案内部に案内されて筐体１３１に取り付けられるときに、カム１７のテーブル接触面１８が投票カード読取ユニット１１４に直接に接触することにより、前端位置に移動する。また、スライダ１５は、投票カード読取ユニット１１４が筐体１３１から取り外されるときに、カム１７のテーブル接触面１８が投票カード読取ユニット１１４に直接に接触することにより、前端位置に移動する。シャッタ格納機構１０は、テーブル１がこのような案内部に置換された場合でも、構造が簡潔である。
【００６１】
ところで、実施例１の投票券処理装置１００の一対のスライダ側ガイド溝２９の下側部分２９ａは、着脱方向５に垂直である直線に沿うように形成されているが、その直線に沿わないように形成されてもよい。
【実施例２】
【００６２】
実施例２の投票券処理装置は、図１２に示されているように、既述の実施例１の投票券処理装置１００の一対のスライダ側ガイド溝２９が他の一対のスライダ側ガイド溝４１に置換されている。図１２は、実施例２の投票券処理装置の一対のベース側ガイド溝２８と一対のスライダ側ガイド溝４１とを示す側面図である。一対のスライダ側ガイド溝４１は、なだらかに屈曲した曲線に沿うように、形成されている。一対のスライダ側ガイド溝４１は、実施例２の投票券処理装置の設置面に垂直である直線に沿う部分がないように、すなわち、既述の実施例１の投票券処理装置１００の下側部分２９ａに対応する部分がないように、形成されている。一対のスライダ側ガイド溝４１は、スライダ１５が前端位置に配置されるときに、一対のスライダ側ガイド溝４１の下端４１ａが一対のベース側ガイド溝２８のうちの前面側端２８ａに重なるように、形成されている。一対のスライダ側ガイド溝４１は、スライダ１５が後端位置に配置されるときに、上端４１ｂが一対のベース側ガイド溝２８のうちの背面側端２８ｂに重なるように、形成されている。シャフト１２の両端は、一対のベース側ガイド溝２８にそれぞれ嵌合し、両端が一対のスライダ側ガイド溝４１にそれぞれ嵌合している。このため、シャフト１２は、スライダ１５が前端位置に配置されるときに、一対のベース側ガイド溝２８の前面側端に嵌合するように配置され、前面側端位置に配置される。シャフト１２は、スライダ１５が後端位置に配置されるときに、一対のベース側ガイド溝２８の背面側端２８ｂに嵌合するように配置され、背面側端位置に配置される。
【００６３】
実施例２の投票券処理装置も、既述の実施例１の投票券処理装置１００と同様にして、投票カード読取ユニット１１４が筐体１３１に着脱されるときに、シャフト１２が移動することによりシャッタ３が開口部１３３ｃを自動的に開閉することができる。実施例２の投票券処理装置のシャッタ格納機構１０は、既述の実施例１の投票券処理装置１００のシャッタ格納機構１０と同様にして、構造が簡潔であることにより、容易に作製されることができ、製造コストを低減することができる。
【００６４】
シャッタ格納機構１０は、一対のスライダ側ガイド溝４１の上端が沿う直線、着脱方向５に垂直でないことにより、スライダ１５が前端位置に配置されるときに、シャッタ３が開放位置に適切に配置されないことがある。たとえば、シャッタ３は、スライダ１５が勢いよく前端位置に移動したときに、開放位置に向かって勢いよく移動することによりベース２に衝突することがある。図１３は、シャッタ３がベース２に衝突した後の実施例２の投票券処理装置のシャッタ格納機構１０を示す側面図である。シャッタ３は、ベース２に衝突したときに、スライダ１５が前端位置に配置されている場合でも、図１３に示されているように、前面側端位置よりベース２から離れた位置に配置されることがある。シャッタ３は、図１３に示されているようにベース２から離れた位置に配置されている場合で、テーブル１が取り付け位置に向かって移動するときに、テーブル１または投票カード読取ユニット１１４に衝突することがある。シャッタ格納機構１０または投票カード読取ユニット１１４は、シャッタ３がテーブル１または投票カード読取ユニット１１４に衝突することにより、破損することがある。
【００６５】
既述の実施例１の投票券処理装置１００のスライダ１５は、シャフト１２に嵌合する一対のスライダ側ガイド溝２９が形成されている。一対のスライダ側ガイド溝２９は、投票カード読取ユニット１１４が筐体１３１に取り付けられるときにシャフト１２が前面側端位置に移動するように、シャフト１２を案内する。一対のスライダ側ガイド溝２９は、さらに、投票カード読取ユニット１１４が筐体１３１から取り外されるときにシャフト１２が背面側端位置に移動するように、シャフト１２を案内する。一対のスライダ側ガイド溝２９は、さらに、シャフト１２が背面側端位置に配置されるときにスライダ１５が平行移動する着脱方向５に垂直である上下方向にシャフト１２が移動するように、シャフト１２を案内する下側部分２９ａを含んでいる。実施例１の投票券処理装置１００は、一対のスライダ側ガイド溝２９が下側部分２９ａを含んでいることにより、スライダ１５が前端位置に配置されているときに、シャフト１２が前面側端位置と異なる他の位置に移動することが防止される。投票券処理装置１００は、シャフト１２が前面側端位置と異なる他の位置に移動することが防止されることにより、スライダ１５が勢いよく前端位置に移動した場合でも、シャッタ３が開放位置以外の位置（開放位置と異なる位置）に跳ね返ることが防止される。投票券処理装置１００は、シャッタ３が開放位置以外の位置に跳ね返ることが防止されることにより、シャッタ３が投票カード読取ユニット１１４に衝突することが防止され、シャッタ３または投票カード読取ユニット１１４の破損を防止することができる。
【実施例３】
【００６６】
実施例３の投票券処理装置は、図１４に示されているように、既述の実施例１の投票券処理装置１００の一対のベース側ガイド溝２８が他の一対のベース側ガイド溝５１に置換されている。図１４は、実施例３の投票券処理装置の一対のベース側ガイド溝５１と一対のスライダ側ガイド溝２９とを示す側面図である。一対のベース側ガイド溝５１は、なだらかに屈曲した曲線に沿うように、形成されている。一対のベース側ガイド溝５１のうちの前面パネル１３２から遠い側の背面側部分５１ｂは、着脱方向５に平行である直線に沿うように、形成されている。シャフト１２は、スライダ１５が前端位置に配置されるときに、一対のベース側ガイド溝５１の前面側端５１ａに嵌合するように配置され、前面側端位置に配置される。
【００６７】
図１５は、スライダ１５が後端位置に配置されたときの実施例３の投票券処理装置の一対のベース側ガイド溝５１と一対のスライダ側ガイド溝２９とを示す側面図である。シャフト１２は、スライダ１５が後端位置に配置されるときに、図１５に示されているように、背面側部分５１ｂに嵌合し、すなわち、一対のベース側ガイド溝５１の背面側端に嵌合している。シャフト１２は、シャッタ３が閉鎖位置に配置される場合で、シャッタ３が閉鎖位置から開放位置に向かって移動するようにシャッタ３に力が与えられたときに、背面側部分５１ｂに嵌合していることにより、背面側部分５１ｂに沿って移動するように案内される。シャフト１２は、背面側部分５１ｂが着脱方向５に平行である直線に沿っていることにより、シャッタ３が閉鎖位置から開放位置に向かって移動するようにシャッタ３に力が与えられたときに、前面側端位置から離れるように力が加わり、背面側端位置に固定される。シャッタ３は、閉鎖位置から開放位置に向かって移動するように力が与えられたときにシャフト１２が背面側端位置に固定されることにより、開放位置に配置された状態でベース２に固定される。実施例３の投票券処理装置のシャッタ格納機構１０は、シャッタ３が閉鎖位置から開放位置に向かって移動するようにシャッタ３に力が与えられたときに、シャフト１２を背面側端位置に固定することにより、開口部１３３ｃが開放されることを防止することができる。
【００６８】
実施例３の投票券処理装置の一対のベース側ガイド溝５１は、シャフト１２が背面側端位置に配置される場合で、開口部１３３ｃが開放されるようにシャッタ３に力が与えられたときに、シャフト１２が前面側端位置から離れるように、形成されている。このような投票券処理装置１００は、シャッタ３が開口部１３３ｃを閉鎖しているときに、シャッタ３が背面側に押された場合でも、シャフト１２が前面側に移動しないことにより、シャッタ３が開放位置に移動することが防止される。投票券処理装置１００は、シャッタ３が開口部１３３ｃを閉鎖しているときに、シャッタ３が開放位置に移動しないことにより、開口部１３３ｃが開放されることを防止することができる。
【００６９】
以上、実施例を説明したが、前述した内容により実施例が限定されるものではない。たとえば、一対のベース側ガイド溝２８、５１と一対のスライダ側ガイド溝２９、４１とは、同様に機能すれば、他の形状に形成されてもよい。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００７０】
１００  ：投票券処理装置
１０１  ：運用状況表示窓
１０２  ：投票券投入口
１０３  ：投票券排出口
１０４  ：投票カード投入排出口
１０５  ：紙幣投入排出口
１０６  ：硬貨投入口
１０７  ：硬貨排出口
１１４  ：投票カード読取ユニット
１１５  ：紙幣還流ユニット
１１６  ：硬貨還流ユニット
１１７  ：投票券印刷ユニット
１１８  ：払戻投票券読取ユニット
１３１  ：筐体
１３２  ：前面パネル
１３３ａ〜１３３ｆ  ：開口部
１０    ：シャッタ格納機構
１      ：テーブル
２      ：ベース
３      ：シャッタ
５      ：着脱方向
８      ：シャッタ回転軸
１１    ：支柱
１２    ：シャフト
１４    ：支柱回転軸
１５    ：スライダ
１６    ：ばね
１７    ：カム
２１    ：カム回転軸
２４    ：カム摺動面
２５    ：カム嵌合穴
２６    ：一対のベース側ガイド板
２７    ：一対のスライダ側ガイド板
２８    ：一対のベース側ガイド溝
２８ａ  ：前面側端
２８ｂ  ：背面側端
２９    ：一対のスライダ側ガイド溝
２９ａ  ：下側部分
２９ｂ  ：上側部分
４１    ：一対のスライダ側ガイド溝
５１    ：一対のベース側ガイド溝
５１ａ  ：前面側端
５１ｂ  ：背面側部分
【図１】
2019046074.tif 000003
【図２】
2019046074.tif 000004
【図３】
2019046074.tif 000005
【図４】
2019046074.tif 000006
【図５】
2019046074.tif 000007
【図６】
2019046074.tif 000008
【図７】
2019046074.tif 000009
【図８】
2019046074.tif 000010
【図９】
2019046074.tif 000011
【図１０】
2019046074.tif 000012
【図１１】
2019046074.tif 000013
【図１２】
2019046074.tif 000014
【図１３】
2019046074.tif 000015
【図１４】
2019046074.tif 000016
【図１５】
2019046074.tif 000017